【事件の表示】
　特願２０１７−５２７３２７号「ペルブスカイト材料の二層及び三層の界面層」拒絶査定不服審判事件〔平成２８年　５月２６日国際公開、ＷＯ２０１６／０８１６８２号、平成３０年　２月　８日国内公表、特表２０１８−５０３９７１号〕について、次のとおり審決する。
【結　論】
　本件審判の請求は、成り立たない。
【理　由】
第１　手続の経緯
　本願は、２０１５年（平成２７年）１１月１９日（パリ条約による優先権主張　外国庁受理　２０１４年（平成２６年）１１月２１日　米国、２０１５年（平成２７年）５月１３日　米国）を国際出願日とする出願であって、その手続の経緯は以下のとおりである。
　平成２９年　６月１４日　　：翻訳文、手続補正書の提出
　平成２９年１０月２４日付け：拒絶理由通知書
　平成３０年　５月　２日　　：意見書、手続補正書の提出
　平成３０年　５月２２日付け：拒絶理由通知書
　平成３０年　８月３１日　　：意見書、手続補正書の提出
　平成３０年１０月３１日付け：拒絶理由通知書
　平成３１年　１月２８日　　：意見書、手続補正書の提出
　平成３１年　２月２８日付け：拒絶査定
　　令和元年　７月　２日　　：審判請求書、手続補正書の提出
　
第２　令和元年７月２日にされた手続補正についての補正の却下の決定
［補正の却下の決定の結論］
　令和元年７月２日にされた手続補正（以下「本件補正」という。）を却下する。
　
［理由］
１　本件補正について（補正の内容）
（１）本件補正後の特許請求の範囲の記載
　本件補正により、特許請求の範囲の請求項１の記載は、次のとおり補正された（下線部は、補正箇所である。）。
「光起電力デバイスであって、
　　第１の電極と、
　　第２の電極と、
　　前記第１の電極と前記第２の電極との間に少なくとも部分的に配置された活性層であって、前記活性層は、
　　　ペロブスカイト材料を含む光活性層と、
　　　４以上の隣接する界面層であって、第２の界面層に隣接し、且つ、接触して配置された第１の界面層と、前記第２の界面層に隣接し、且つ、接触して配置された第３の界面層と、前記第３の界面層に隣接して配置された第４の界面層とを含む界面層と、
を含み、前記第１の界面層及び前記第３の界面層は、前記第２の界面層とは異なる材料を含む、前記活性層と、
を含み、
但し、
、ＷＯ３、ＺｎＯ、Ｎｂ２Ｏ５、Ｔａ２Ｏ５、又はＳｒＴｉＯ３を含む層を除く
　
（２）本件補正前の特許請求の範囲
　本件補正前の、平成３１年１月２８日にされた手続補正により補正された特許請求の範囲の請求項１の記載は次のとおりである。
「光起電力デバイスであって、
　　第１の電極と、
　　第２の電極と、
　　前記第１の電極と前記第２の電極との間に少なくとも部分的に配置された活性層であって、前記活性層は、
　　　ペロブスカイト材料を含む光活性層と、
　　　４以上の隣接する界面層であって、第２の界面層に隣接し、且つ、接触して配置された第１の界面層と、前記第２の界面層に隣接し、且つ、接触して配置された第３の界面層と、前記第３の界面層に隣接して配置された第４の界面層とを含む界面層と、
を含み、前記第１の界面層及び前記第３の界面層は、前記第２の界面層とは異なる材料を含む、前記活性層と、
を含み、当該光起電力デバイスはＴｉＯ２を包含しない、光起電力デバイス。」
　
２　補正の適否
　本件補正は、補正前の請求項１において「当該光起電力デバイスはＴｉＯ２を包含しない」とあったものを、「但し、当該光起電力デバイスはＴｉＯ２、ＷＯ３、ＺｎＯ、Ｎｂ２Ｏ５、Ｔａ２Ｏ５、又はＳｒＴｉＯ３を含む層を除く」と補正して、除外する組成をさらに追加する限定を付加するものであり、特許法第１７条の２第５項第２号に掲げる特許請求の範囲の減縮を目的とするものに該当する。
　そこで、本願補正発明が、特許出願の際独立して特許を受けることができるものであるかどうか（特許法第１７条の２第６項において準用する同法第１２６条第７項に規定する要件を満たすか否か）について検討する。
（１）本願補正発明の認定
　本願補正発明は、上記「１」「（１）」に記載したとおりである。
　
（２）引用文献及び引用発明
ア　原査定の拒絶の理由で引用された、本願の最先の優先日前に、頒布された又は電気通信回線を通じて公衆に利用可能となった特開２０１４−１７５４７３号公報（平成２６年９月２２日出願公開。以下「引用文献」という。）には、次の事項が記載されている。
（ア）「【技術分野】
【０００１】
　本発明は、無機ホール輸送材を使用した
ペロブスカイト系光電変換装置
　
（イ）「【００１１】
　１．
光電変換装置
　本発明の
光電変換装置
（ＲＮＨ３）ｎＰｂＩ（２＋ｎ）からなる光吸収層
【００１２】
　
＜光吸収層＞
　
光吸収層は、一般式（１）：（ＲＮＨ３）ｎＰｂＩ（２＋ｎ）で表されるヨウ化鉛系層状ペロブスカイト化合物からなる層
【００２８】
　
＜無機ホール輸送層＞
　
無機ホール輸送層は、
【００２９】
　無機ホール輸送材としては、例えば、
ＣｕＳＣＮ
【００３５】
　
＜中間層＞
　
中間層は、
セレン
【００３６】
　セレンを含むメッキ層は、セレンを含む層であれば特に制限されないが、単層でも複層でもよい。複層の場合は、各層全てがセレンを含む層であってもよいし、少なくとも１層がセレンを含む層であってもよい。
【００３７】
　セレンを含むメッキ層としては、
セレンからなる
テルル層とセレン層との複層
からなることが好ましい
【００７２】
　＜光吸収層と中間層との配置関係＞
　光吸収層と中間層との配置関係は、中間層が電子輸送層側、透光性導電層側、又は透光性基盤側に位置し、光吸収層が無機ホール輸送層側、又は第二電極側に位置する関係である。具体的には、例えば、中間層が電子輸送層、透光性導電層、又は透光性基盤上、好ましくは電子輸送層上に形成され、
光吸収層が中間層上に形成される
【００７３】
　
＜電子輸送層＞
　本発明では、上記光吸収層は、電子輸送層の上に形成されることが好ましい。また、中間層を形成する場合には、中間層は、電子輸送層の上に形成されることが好ましい。
【００７４】
　電子輸送層は、平滑構造であってもよいし、多孔質構造であってもよい。多孔質構造とは、特に制限されるわけではないが、粒状体、線状体（線状体：針状、チューブ状、柱状等）等が集合して、全体として多孔質な性質を有していることが好ましい。また、細孔サイズはナノスケールであることが好ましい。電子輸送層を多孔質構造とすれば、ナノスケールであるため、光吸収層の活性表面積を著しく増加させ、光電変換効率を向上させるとともに、電子収集に優れる電子輸送層とすることができる。なお、多孔質構造を採用する場合には、電子輸送層の全厚みにわたって多孔質構造とする必要はなく、例えば、後述の透光性導電層に近い側を平滑構造、光吸収層又は中間層に近い側を多孔質構造とすることも可能である。
【００７５】
　
電子輸送層は、例えば、多孔質電子輸送材料からなる層とすることが好まし
多孔質電子輸送材料としては、例えば、ＴｉＯ２、ＷＯ３、ＺｎＯ、Ｎｂ２Ｏ５、Ｔａ２Ｏ５、ＳｒＴｉＯ３等の一種又は二種以上を採用でき
【００７９】
　
＜透光性導電層＞
　本発明では、上記光吸収層は、透光性導電層の上に形成されることが好ましい。また、中間層又は電子輸送層を形成する場合には、中間層又は電子輸送層は、透光性導電層の上に形成されることが好ましい。
【００８０】
　
透光性導電層は、例えば、透明導電性酸化物からなる層とすることが好ましい。透明導電性酸化物としては、例えば、フッ素ドープ錫酸化物
【００８１】
　透光性導電層の厚みは、０．０１〜１０．０μｍ程度が好ましく、０．３〜１．０μｍ程度がより好ましい。透光性導電層の厚みを上記範囲内とすることにより、シート抵抗を低減し、結果として光電変換装置のシリーズ抵抗を低減できるため、フィルファクター特性を維持できる。
【００８２】
　
＜透光性基板＞
　本発明では、前記透光性導電層は、透光性基板の上に形成されることが好ましい。
【００８３】
　
透光性基板としては、
ガラス
【００８６】
　
＜第二電極層＞
　本発明では、無機ホール輸送層の上に、第二電極層を備えることが好ましい。
【００８７】
　
第二電極層
金
　
（ウ）「【００９８】
　実施例３
　
セル構造として、 glass / F-doped SnO2 / TiO2 /porous TiO2 / Se / (CH3NH3）PbI3/ CuSCN / Au 構造の太陽電池
【００９９】
　１）亜セレン酸128mg（20mM）と塩化ナトリウム1314mg（0.45M）とを蒸留水50mLに溶解させ、更に20 wt% HCL水溶液を100μL（11.5mM）加えたセレン溶液を用意した。
【０１００】
　２）電極をセレン溶液に浸漬した。
【０１０１】
　３）パルス電流 (-0.7V_0V (vs. Ag/AgCl), 1s_1s, 20分間)を印加してSe電着を行った。
【０１０２】
　こうして作成した、 glass / F-doped SnO2 / TiO2 / porous TiO2/ Se 構造に対して、実施例１と同様に、(CH3NH3）PbI3/ CuSCN / Au を順次作成し、 glass /F-doped SnO2 / TiO2 / porous TiO2 / Se / (CH3NH3）PbI3/ CuSCN / Au 構造を得た。」
　
イ　上記アによれば、引用文献には、次の発明（以下「引用発明」という。）が記載されているものと認められる（なお、引用文献中の半角記載は全角記載とした。）。
「セル構造として、
　透光性基板　　　（ｇｌａｓｓ）
　透光性導電層　　（Ｆ−ｄｏｐｅｄＳｎＯ２）
　電子輸送層　　　（ＴｉＯ２）
　電子輸送層　　　（ｐｏｒｏｕｓＴｉＯ２）
　中間層　　　　　　
　光吸収層　　　　（（ＣＨ３ＮＨ３）ＰｂＩ３）
　無機ホール輸送層（ＣｕＳＣＮ）
　第二電極層　　　（Ａｕ）
構造の太陽電池であって、
　電子輸送層は、例えば、多孔質電子輸送材料からなる層とすることが好ましく、多孔質電子輸送材料としては、例えば、ＴｉＯ２、ＷＯ３、ＺｎＯ、Ｎｂ２Ｏ５、Ｔａ２Ｏ５、ＳｒＴｉＯ３等の一種又は二種以上を採用でき、
　中間層は、テルル（Ｔｅ）層とセレン（Ｓｅ）層との複層からなるものである、
　ペロブスカイト系光電変換装置。」
　
（３）対比・判断
ア　本願補正発明と引用発明とを対比する。
（ア）引用発明の「透光性導電層」は、本願補正発明の「第１の電極」に相当する。
（イ）引用発明の「第二電極層」は、本願補正発明の「第２の電極」に相当する。
（ウ）引用発明の「電子輸送層」、「多孔質電子輸送層」、「中間層」、「光吸収層」及び「無機ホール輸送層」は、本願補正発明の「活性層」に相当する。
（エ）引用発明の「光吸収層（（ＣＨ３ＮＨ３）ＰｂＩ３）」は、本願補正発明の「ペロブスカイト材料を含む光活性層」に相当する。
（オ）引用発明の「電子輸送層」は、本願補正発明の「第２の界面層に隣接し、且つ、接触して配置された第１の界面層」に相当する。
（カ）引用発明の「多孔質電子輸送層」は、本願補正発明の「第２の界面層」に相当する。
（キ）引用発明の「中間層」のうちの「テルル（Ｔｅ）層」は、本願補正発明の「前記第２の界面層に隣接し、且つ、接触して配置された第３の界面層」に相当する。
（ク）引用発明の「中間層」のうちの「セレン（Ｓｅ）層」は、本願補正発明の「前記第３の界面層に隣接して配置された第４の界面層」に相当する。
（ケ）引用発明の「電子輸送層」、「多孔質電子輸送層」、「中間層」のうちの「テルル（Ｔｅ）層」及び「中間層」のうちの「セレン（Ｓｅ）層）は、本願補正発明の「（４以上の隣接する、前記第３の界面層は、前記第２の界面層とは異なる材料を含む）界面層」に相当する。
（コ）引用発明の「ペロブスカイト系光電変換装置」は、本願補正発明の「光起電力デバイス」に相当する。
　
（サ）上記（ア）ないし（コ）によれば、本願補正発明と引用発明は、
「光起電力デバイスであって、
　　第１の電極と、
　　第２の電極と、
　　前記第１の電極と前記第２の電極との間に配置された活性層であって、前記活性層は、
　　　ペロブスカイト材料を含む光活性層と、
　　　４以上の隣接する界面層であって、第２の界面層に隣接し、且つ、接触して配置された第１の界面層と、前記第２の界面層に隣接し、且つ、接触して配置された第３の界面層と、前記第３の界面層に隣接して配置された第４の界面層とを含む界面層と、
を含み、前記第３の界面層は、前記第２の界面層とは異なる材料を含む、前記活性層と、
を含む、
　光起電力デバイス。」
の点で一致し、以下の点で相違するものと認められる。
　
＜相違点１＞
　本願補正発明では、第１の界面層は、第２の界面層とは異なる材料を含むと特定され、また、光起電力デバイスはＴｉＯ２、ＷＯ３、ＺｎＯ、Ｎｂ２Ｏ５、Ｔａ２Ｏ５、又はＳｒＴｉＯ３を含む層を除くと特定されるのに対して、引用発明は、電子輸送層（ＴｉＯ２）と多孔質電子輸送層（ｐｏｒｏｕｓＴｉＯ２）は同じ材料ＴｉＯ２を含む層である点。
　
イ　判断
（ア）相違点１について
　引用発明の電子輸送層及び多孔質電子輸送層は、「
例えば、
等の一種又は二種以上を採用でき
　そして、光電変換装置に用いられる電子輸送層材料としては、後記周知文献に記載のとおり、ＴｉＯ２、ＷＯ３、ＺｎＯ、Ｎｂ２Ｏ５、Ｔａ２Ｏ５、ＳｒＴｉＯ３に限らず様々な材料が周知の事項である。
　また、特定事項アの「界面層」を含む光起電力デバイスにおいて、「但し、当該光起電力デバイスはＴｉＯ２、ＷＯ３、ＺｎＯ、Ｎｂ２Ｏ５、Ｔａ２Ｏ５、又はＳｒＴｉＯ３を含む層を除く」と特定する本願補正発明は、本願明細書等に当該組成を除くことの技術的意義・効果について記載されておらず、「但し、当該光起電力デバイスはＴｉＯ２、ＷＯ３、ＺｎＯ、Ｎｂ２Ｏ５、Ｔａ２Ｏ５、又はＳｒＴｉＯ３を含む層を除く」ことに基づく技術的意義は認められない。
　さらに、電子輸送層と多孔質電子輸送層とを同じ電子輸送層材料とすべき格別の事由はないから、ＴｉＯ２、ＷＯ３、ＺｎＯ、Ｎｂ２Ｏ５、Ｔａ２Ｏ５、ＳｒＴｉＯ３以外の適宜の周知の二種以上の電子輸送層材料を採用して、上記相違点１に係る本願補正発明の構成となすことは当業者が容易になし得たことである。
　
（イ）よって、本願補正発明は、引用発明及び周知の事項に基いて当業者が容易に発明をすることができたものであり、特許法第２９条第２項の規定により、特許を受けることができないから、特許出願の際独立して特許を受けることができないものである。
　
ウ　周知文献
（ア）特開２０１４−１４６５３４号公報
「【技術分野】
【０００１】
　本発明は色素増感型太陽電池に関する。」
「【００３７】
＜電子輸送層＞
　本発明の色素増感型
太陽電池
電子輸送層３
　電子輸送層３は、第一電極上に緻密な電子輸送層４を有し、さらにその上に多孔質状の電子輸送層５を有する積層構造であることが好ましい。・・・
【００４２】
　
前記電子輸送層を構成する半導体としては特に限定されるものではなく、公知のものを使用することができる。具体的には、シリコン、ゲルマニウムのような単体半導体、あるいは金属のカルコゲニドに代表される化合物半導体、またはペロブスカイト構造を有する化合物等を挙げることができる。
【００４３】
　
前記金属のカルコゲニドとしてはチタン、スズ、亜鉛、鉄、タングステン、ジルコニウム、ハフニウム、ストロンチウム、インジウム、セリウム、イットリウム、ランタン、バナジウム、ニオブ、あるいはタンタルの酸化物、カドミウム、亜鉛、鉛、銀、アンチモン、ビスマスの硫化物、カドミウム、鉛のセレン化物、カドミウムのテルル化物等が挙げられる。
　
他の化合物半導体としては亜鉛、ガリウム、インジウム、カドミウム、等のリン化物、ガリウム砒素、銅−インジウム−セレン化物、銅−インジウム−硫化物等が好ましい
　
（イ）国際公開第２０１３／０９９６１４号
「［０００１］
　本発明は、光を電気に、あるいは電気を光に変換する
光電気素子
「［００６３］　
電子輸送層１としては、Ｃｄ、Ｚｎ、Ｉｎ、Ｐｂ、Ｍｏ、Ｗ、Ｓｂ、Ｂｉ、Ｃｕ、Ｈｇ、Ｔｉ、Ａｇ、Ｍｎ、Ｆｅ、Ｖ、Ｓｎ、Ｚｒ、Ｓｒ、Ｇａ、Ｓｉ、Ｃｒなどの金属元素の酸化物、ＳｒＴｉＯ３ 、ＣａＴｉＯ３などのペロブスカイト、ＣｄＳ、ＺｎＳ、Ｉｎ２Ｓ３、ＰｂＳ、Ｍｏ２Ｓ、ＷＳ２、Ｓｂ２Ｓ３、Ｂｉ２Ｓ３、ＺｎＣｄＳ２、Ｃｕ２Ｓなどの硫化物、ＣｄＳｅ、Ｉｎ２Ｓｅ３、ＷＳｅ２、ＨｇＳ、ＰｂＳｅ、ＣｄＴｅなどの金属カルコゲナイド、その他ＧａＡｓ、Ｓｉ、Ｓｅ、Ｃｄ２Ｐ３、Ｚｎ２Ｐ３、ＩｎＰ、ＡｇＢｒ、ＰｂＩ２、ＨｇＩ２、ＢｉＩ３などを用いることができる。また、これらの半導体材料から選ばれる少なくとも一種以上を含む複合体、例えば、ＣｄＳ／ＴｉＯ２、ＣｄＳ／ＡｇＩ、Ａｇ２Ｓ／ＡｇＩ、ＣｄＳ／ＺｎＯ、ＣｄＳ／ＨｇＳ、ＣｄＳ／ＰｂＳ、ＺｎＯ／ＺｎＳ、ＺｎＯ／ＺｎＳｅ、ＣｄＳ／ＨｇＳ、ＣｄＳｘ／ＣｄＳｅ１−ｘ、ＣｄＳｘ／Ｔｅ１−ｘ、ＣｄＳｅｘ／Ｔｅ１−ｘ、ＺｎＳ／ＣｄＳｅ、ＺｎＳｅ／ＣｄＳｅ、ＣｄＳ／ＺｎＳ、ＴｉＯ２／Ｃｄ３Ｐ２、ＣｄＳ／ＣｄＳｅＣｄｙＺｎ１−ｙＳ、ＣｄＳ／ＨｇＳ／ＣｄＳなどを用いることができる。また、ポリフェニレンビニレンやポリチオフェンやポリアセチレン、テトラセン、ペンタセン、フタロシアニンなどの有機半導体を用いることもできる
　
（４）審判請求人の主張について
ア　審判請求人は審判請求書の【請求の理由】「４．理由１（進歩性）について」「（３）本願発明と引例との対比」において概略下記のとおり主張する。
「今回した補正により、本願発明１、２の光起電力デバイスは「ＴｉＯ２、ＷＯ３、ＺｎＯ、Ｎｂ２Ｏ５、Ｔａ２Ｏ５、ＳｒＴｉＯ３を含む層を除く」旨修正されています。
　したがって、本願発明１、２は、引用文献１〜４とは異なる構成となっており、引用文献１〜４から容易に想到し得るものではなく、十分に進歩性を有するものと確信します。」
　
イ　しかしながら、上記（２）及び（３）で述べたとおりであって、請求人の上記主張は採用できない。
　
３　むすび（補正の却下の決定のむすび）
　上記２のとおり、本願補正発明は、引用発明及び周知の事項に基いて当業者が容易に発明をすることができたものであって、特許法第２９条第２項の規定により、特許を受けることができない。
　したがって、本願補正発明は、特許出願の際独立して特許を受けることができないものであるから、本件補正は、特許法第１７条の２第６項で準用する同法第１２６条第７項の規定に違反するものであり、同法第１５９条第１項で読み替えて準用する同法第５３条第１項の規定により却下されるべきものである。
　よって、上記補正の却下の決定の結論のとおり決定する。
　
第３　本願発明について
１　本願発明
　令和元年７月２日付け手続補正は、上記のとおり却下されたので、本願の請求項１ないし２３に係る発明は、平成３１年１月２８日付けの手続補正によって補正された特許請求の範囲の請求項１ないし２３に記載されたとおりのものであるところ、請求項１に記載された発明は、上記「１」「（２）」のとおりのものであると認められる（以下「本願発明」という。）。
　
２　原査定における拒絶の理由
　原査定の拒絶の理由は、この出願の請求項１、２、４、７、９−１１、１３−１４、２１−２３に係る発明は、本願の最先の優先権主張の日前に日本国内又は外国において、頒布された又は電気通信回線を通じて公衆に利用可能となった下記の引用文献１に記載された発明に基づいて、その最先の優先日前にその発明の属する技術の分野における通常の知識を有する者が容易に発明をすることができたものであるから、特許法２９条２項の規定により特許を受けることができない等、というものである。
　
引用文献１．特開２０１４−１７５４７３号公報
　
３　引用文献
　原査定の拒絶理由で引用された、引用文献１の記載事項及び引用発明は、前記「第２」［理由］「２」「（２）」「ア」のとおりである。
　
４　対比・判断
　本願発明は、前記「第２」［理由］「２」で検討した本願補正発明から、「但し、当該光起電力デバイスはＴｉＯ２、ＷＯ３、ＺｎＯ、Ｎｂ２Ｏ５、Ｔａ２Ｏ５、又はＳｒＴｉＯ３を含む層を除く」との限定を省き、「当該光起電力デバイスはＴｉＯ２を包含しない」との構成を付加する、つまり、「当該光起電力デバイスはＷＯ３、ＺｎＯ、Ｎｂ２Ｏ５、Ｔａ２Ｏ５、又はＳｒＴｉＯ３を含む層を除く」との限定を省いたものである。
　そうすると、本願発明と引用発明は、本願発明では、第１の界面層は、第２の界面層とは異なる材料を含むと特定され、また、光起電力デバイスはＴｉＯ２を包含しないと特定されるのに対して、引用発明は、電子輸送層（ＴｉＯ２）と多孔質電子輸送層（ｐｏｒｏｕｓＴｉＯ２）は同じ材料ＴｉＯ２を含む層である点で相違する（以下「相違点２」という。）。
　しかしながら、引用文献１には、「電子輸送層は、例えば、多孔質電子輸送材料からなる層とすることが好ましい。多孔質電子輸送材料としては、例えば、ＴｉＯ２、ＷＯ３、ＺｎＯ、Ｎｂ２Ｏ５、Ｔａ２Ｏ５、ＳｒＴｉＯ３等の一種又は二種以上を採用できる。」（「第２」［理由］「２」「（２）」「ア」「（イ）」【００７５】）と記載されており、電子輸送層（ＴｉＯ２）と多孔質電子輸送層（ｐｏｒｏｕｓＴｉＯ２）としてＷＯ３、ＺｎＯ、Ｎｂ２Ｏ５、Ｔａ２Ｏ５、ＳｒＴｉＯ３から二種を採用して、上記相違点２に係る本願発明の構成となすことは当業者が容易に発明をすることができたものである。
　
第４　むすび
　以上のとおり、本願発明は、引用発明及び引用文献１に記載された事項に基いて当業者が容易に発明をすることができたものであるから、特許法第２９条第２項の規定により、特許を受けることができない。
　したがって、他の請求項に係る発明について検討するまでもなく、本願は拒絶されるべきものである。
　よって、結論のとおり審決する。